(57)【要約】【課題】  陰陽圧切換式の換気設備において換気対象室が陽圧状態にあるか陰圧状態にあるかの誤認により生じる種々の不都合を確実に防止する。【解決手段】  換気対象室１を陽圧にする陽圧運転モードと換気対象室１を陰圧にする陰圧運転モードとに換気対象室１に対する換気装置Ｆｓ，Ｆｅの運転モードを切り換える切換手段１５，１６を設けた陰陽圧切換式の換気設備において、換気装置Ｆｓ，Ｆｅが陽圧運転モードと陰圧運転モードとのいずれの運転モードにあるかを換気対象室１の入口部８又は出口部において表示する表示手段１９ａ，１９ｂ，１６を設ける。【選択図】        図１
2005114317.tif 000002
【特許請求の範囲】
【請求項１】
換気対象室を陽圧にする陽圧運転モードと前記換気対象室を陰圧にする陰圧運転モードとに前記換気対象室に対する換気装置の運転モードを切り換える切換手段を設けた陰陽圧切換式換気設備であって、
前記換気装置が陽圧運転モードと陰圧運転モードとのいずれの運転モードにあるかを前記換気対象室の入口部又は出口部において表示する表示手段を設けてある陰陽圧切換式換気設備。
【請求項２】
前記換気対象室の室圧を検出する検出手段を設け、前記表示手段を、前記検出手段の検出室圧が陽圧側の設定閾室圧以上のときのみ陽圧運転モードの表示を行い、かつ、前記検出手段の検出室圧が陰圧側の設定閾室圧以下のときのみ陰圧運転モードの表示を行う構成にしてある請求項１記載の陰陽圧切換式換気設備。
【請求項３】
前記表示手段を、前記検出手段の検出室圧が陽圧側の設定閾室圧よりも絶対値の小さい陽圧値であるとき、及び、前記検出手段の検出室圧が陰圧側の設定閾室圧よりも絶対値の小さい陰圧値であるときには、不適状態の表示を行う構成にしてある請求項２記載の陰陽圧切換式換気設備。
【請求項４】
前記表示手段を、陽圧運転モードの表示を行っている状態において、前記検出手段の検出室圧が陽圧側の設定閾室圧よりも低くなった状態が設定不感時間以上継続したとき陽圧運転モードの表示を停止し、かつ、陰圧運転モードの表示を行っている状態において、前記検出手段の検出室圧が陰圧側の設定閾室圧よりも高くなった状態が設定不感時間以上継続したとき陰圧運転モードの表示を停止する構成にしてある請求項２又は３記載の陰陽圧切換式換気設備。
【請求項５】
前記表示手段を、前記切換手段に対し陽圧運転モードの実行指令が付与された状況下において前記検出手段の検出室圧が陰圧値であるとき、及び、前記切換手段に対し陰圧運転モードの実行指令が付与された状況下において前記検出手段の検出室圧が陽圧値であるときには、警告表示を行う構成にしてある請求項２〜４のいずれか１項に記載の陰陽圧切換式換気設備。
【請求項６】
前記表示手段を、前記切換手段に付与される陽圧運転モードの実行指令に基づき陽圧運転モードの表示を行い、かつ、前記切換手段に付与される陰圧運転モードの実行指令に基づき陰圧運転モードの表示を行う構成にしてある請求項１記載の陰陽圧切換式換気設備。
【請求項７】
前記表示手段を、前記換気装置が陽圧運転モードで運転開始された時点から設定遅延時間を経過した時点で陽圧運転モードの表示を行い、かつ、前記換気装置が陰圧運転モードで運転開始された時点から設定遅延時間を経過した時点で陰圧運転モードの表示を行う構成にしてある請求項６記載の陰陽圧切換式換気設備。
【請求項８】
前記表示手段を、表示の切り換え時にその切り換えを報知する報知音を発する構成にしてある請求項１〜７のいずれか１項に記載の陰陽圧切換式換気設備。
【発明の詳細な説明】
【技術分野】
【０００１】
本発明は、換気対象室を陽圧にする陽圧運転モードと換気対象室を陰圧にする陰圧運転モードとに換気対象室に対する換気装置の運転モードを切り換える切換手段を設けた陰陽圧切換式換気設備に関する。
【背景技術】
【０００２】
従来、この種の換気設備として、給排気ダンパの切り換え操作や給排気ファンのインバータ制御などにより換気装置の運転モードを上記の陽圧運転モードと陰圧運転モードとに切り換え、この切り換えにより換気対象室の用途変更に対応するようにしたものがある（特許文献１参照）。
【特許文献１】特開平６−２４９４８２号公報
【発明の開示】
【発明が解決しようとする課題】
【０００３】
しかし従来、換気対象室の入退室者（特に入室する者）にとって、換気装置が陽圧運転モードで運転されて換気対象室が陽圧状態にあるのか、あるいは、換気装置が陰圧運転モードで運転されて換気対象室が陰圧状態にあるのかの見分けがつかず、この為、例えば、塵埃や細菌等の侵入を防止する目的で換気対象室を陽圧にしているにもかかわらず、誤認者が不用意に入室して塵埃や細菌を換気対象室に持ち込んでしまうといったことや、逆に、病原菌の室外漏出による感染を防止する目的で換気対象室を陰圧にしているにもかかわらず、誤認者が不用意に入室して病原菌に感染してしまう、あるいは、誤認者が不用意に換気対象室から退室して病原菌の室外漏出を招いてしまうなどの虞があった。
【０００４】
この実情に鑑み、本発明の主たる課題は、陰陽圧切換式の換気設備において換気対象室が陽圧状態にあるか陰圧状態にあるかの誤認により生じる上記例の如き種々の不都合を確実に防止できるようにする点にある。
【課題を解決するための手段】
【０００５】
〔１〕本発明の第１特徴構成は、換気対象室を陽圧にする陽圧運転モードと前記換気対象室を陰圧にする陰圧運転モードとに前記換気対象室に対する換気装置の運転モードを切り換える切換手段を設けた陰陽圧切換式換気設備において、
前記換気装置が陽圧運転モードと陰圧運転モードとのいずれの運転モードにあるかを前記換気対象室の入口部又は出口部において表示する表示手段を設けてある点にある。
【０００６】
つまり、この第１特徴構成によれば、換気装置が陽圧運転モードと陰圧運転モードとのいずれの運転モードにあるかが換気対象室の入口部又は出口部において表示されるから、換気対象室への入室者や換気対象室からの退室者は、その表示により、換気対象室が陽圧状態にあるか、あるいは、陰圧状態にあるかを的確に認知することができ、これにより、換気対象室が陽圧状態にあるか陰圧状態にあるかの誤認により生じる先記例の如き種々の不都合を確実に防止することができる。
【０００７】
なお、第１特徴構成の実施において、陽圧運転モードと陰圧運転モードとのいずれの運転モードにあるかの表示には、例えば、陽圧を示す文字や符号を記した陽圧側表示灯と陰圧を示す文字や符号を記した陰圧側表示灯との選択的な点灯によりいずれの運転モードにあるかを表示する形態を初め、換気装置が陽圧運転モードにあるか陰圧運転モードにあるかを識別し得るものであれば種々の表示形態を採ることができる。
【０００８】
また、第１特徴構成の実施において、換気装置が運転停止状態にあるときには、その運転停止状態の認知を確実にするため、換気装置が陽圧運転モードと陰圧運転モードとのいずれの運転モードにあるかの表示を停止（例えば、上記した陽圧側及び陰圧側表示灯の両方を消灯）するのが望ましい。
【０００９】
〔２〕本発明の第２特徴構成は、第１特徴構成の実施において、
前記換気対象室の室圧を検出する検出手段を設け、前記表示手段を、前記検出手段の検出室圧が陽圧側の設定閾室圧以上のときのみ陽圧運転モードの表示を行い、かつ、前記検出手段の検出室圧が陰圧側の設定閾室圧以下のときのみ陰圧運転モードの表示を行う構成にしてある点にある。
【００１０】
つまり、この第２特徴構成によれば、換気装置が単に陽圧運転モードと陰圧運転モードとのいずれの運転モードにあるかの認知ではなく、換気対象室が陽圧側の設定閾室圧以上の室圧を有する所要の陽圧状態にあること、及び、換気対象室が陰圧側の設定閾室圧以下の室圧を有する所要の陰圧状態にあることの夫々を、表示手段による陽圧運転モードの表示及び陰圧運転モードの表示をもって正確に認知することができる。
【００１１】
そして、このことにより、例えば、換気対象室が所要の陽圧状態にある状況で入退室すべきであるにもかかわらず、換気装置が陽圧運転モードで運転開始された直後で換気対象室が未だ所要の陽圧状態（陽圧側設定閾室圧以上の室圧）に達していない段階で不用意に入退室してしまうといった不都合や、また逆に、換気対象室が所要の陰圧状態にある状況で入退室すべきであるにもかかわらず、換気装置が陰圧運転モードで運転開始された直後で換気対象室が未だ所要の陰圧状態（陰圧側設定閾室圧以下の室圧）に達していない段階で不用意に入退室してしまうといった不都合なども、前記の誤認防止と合わせて効果的に防止することができる。
【００１２】
なお、この第２特徴構成は、陽圧運転モードでの運転において換気対象室の室圧を陽圧側の設定目標室圧に保ち、かつ、陰圧運転モードでの運転において換気対象室の室圧を陰圧側の設定目標室圧に保つように換気装置を制御する方式を採る場合に特に好適であり、この場合、陽圧側の設定閾室圧は陽圧側の設定目標室圧と同じ値ないしは陽圧側の設定目標室圧よりも若干低い値にし、陰圧側の設定閾室圧は陰圧側の設定目標室圧と同じ値ないし陰圧側の設定目標室圧よりも若干高い値にする。
【００１３】
また、第２特徴構成の実施においては、陽圧側及び陰圧側の設定閾室圧を管理者が設定変更できるようにしておくのがよく、また、換気対象室を陽圧側及び陰圧側の設定目標室圧に保つ上記の室圧制御方式を採る場合は、それら設定目標室圧の変更に伴い陽圧側や陰圧側の設定閾室圧を新たな設定目標室圧に応じた値に自動的に変更する構成にしておくのがよい。
【００１４】
〔３〕本発明の第３特徴構成は、第２特徴構成の実施において、
前記表示手段を、前記検出手段の検出室圧が陽圧側の設定閾室圧よりも絶対値の小さい陽圧値にあるとき、及び、前記検出手段の検出室圧が陰圧側の設定閾室圧よりも絶対値の小さい陰圧値にあるときには、不適状態の表示を行う構成にしてある点にある。
【００１５】
つまり、この第３特徴構成によれば、換気装置が陽圧運転モードで運転開始された直後で換気対象室が所要の陽圧状態（陽圧側設定閾室圧以上の室圧）に未だ達していない過渡状態や、換気装置が陽圧運転モードでの運転から運転停止された直後で換気対象室の室圧が陽圧側設定閾室圧よりも絶対値の小さい陽圧値で低下しつつある過渡状態、あるいは、換気装置が陰圧運転モードで運転開始された直後で換気対象室が所要の陰圧状態（陰圧側設定閾室圧以下の室圧）に未だ達していない過渡状態や、換気装置が陰圧運転モードでの運転から運転停止された直後で換気対象室の室圧が陰圧側設定閾室圧よりも絶対値の小さい陰圧値で上昇しつつある過渡状態を、表示手段による上記不適状態の表示をもってより確実に認知することができる。
【００１６】
また、換気装置が陽圧運転モードで運転されているにもかかわらず何らかの原因で換気対象室の室圧が陽圧側の設定閾室圧まで上がり切らない不良状態や、換気装置が陰圧運転モードで運転されているにもかかわらず何らかの原因で換気対象室の室圧が陰圧側の設定閾室圧まで下がり切らない不良状態なども、表示手段による上記不適状態の表示をもってより確実に認知することができ、これにより、これら過渡状態や不良状態に対し一層的確に対応（例えば、入室待ちや管理者への通報など）することができる。
【００１７】
なお、第３特徴構成の実施において、不適状態の表示には、例えば、陽圧側表示灯と陰圧側表示灯との選択的な点灯により陽圧運転モードと陰圧運転モードとのいずれの運転モードにあるかを表示するのに対し、それら表示灯の点滅により不適状態を表示する形態や、不適状態を示す文字や符号を記した専用表示灯の点灯により不適状態を表示する形態など、陽圧運転モードの表示や陰圧運転モードの表示と識別し得るものであれば種々の表示形態を採ることができる。
【００１８】
また、陽圧側表示灯の点灯により陽圧運転モードを表示するのに対し、その陽圧側表示灯の点滅により、換気対象室の室圧が陽圧側の設定閾室圧よりも絶対値の小さい陽圧値にある陽圧側の不適状態（すなわち、陽圧側についての上記過渡状態や上記不良状態）を表示し、また同様に、陰圧側表示灯の点灯により陰圧運転モードを表示するのに対し、その陰圧側表示灯の点滅により、換気対象室の室圧が陰圧側の設定閾室圧よりも絶対値の小さい陰圧値にある陰圧側の不適状態（すなわち、陰圧側についての上記過渡状態や上記不良状態）を表示するなど、不適状態の表示において上記の各過渡状態や不良状態をできる範囲で相互の識別が可能な状態に表示するようにしてもよい。
【００１９】
そしてまた、第３特徴構成では、換気装置が陽圧運転モードでの運転から運転停止された直後で換気対象室の室圧が陽圧側設定閾室圧よりも絶対値の小さい陽圧値で低下しつつある過渡状態や、換気装置が陰圧運転モードでの運転から運転停止された直後で換気対象室の室圧が陰圧側設定閾室圧よりも絶対値の小さい陰圧値で上昇しつつある過渡状態において上記不適状態の表示を行うが、換気装置の運転停止操作後、検出手段の検出室圧が常圧（一般には大気圧）に至ったときには、不適状態の表示を終了して、換気対象室が陽圧状態及び陰圧状態のいずれにもないこと（換言すれば、換気装置が運転停止状態にあること）を認知し得るようにするのがよい。
【００２０】
〔４〕本発明の第４特徴構成は、第２又は第３特徴構成の実施において、
前記表示手段を、陽圧運転モードの表示を行っている状態において、前記検出手段の検出室圧が陽圧側の設定閾室圧よりも低くなった状態が設定不感時間以上継続したとき陽圧運転モードの表示を停止し、かつ、陰圧運転モードの表示を行っている状態において、前記検出手段の検出室圧が陰圧側の設定閾室圧よりも高くなった状態が設定不感時間以上継続したとき陰圧運転モードの表示を停止する構成にしてある点にある。
【００２１】
つまり、第２又は第３特徴構成の実施において、検出手段による検出室圧が陽圧側の設定閾室圧よりも低くなったとき直ちに陽圧運転モードの表示を停止し、また、検出手段による検出室圧が陰圧側の設定閾室圧よりも高くなったとき直ちに陰圧運転モードの表示を停止する方式を採った場合、出入口の開閉等に原因するごく一時的な室圧変動の度に陽圧運転モードの表示や陰圧運転モードの表示が一時的に停止され、そのことで、入退室者等に対し却って疑念を抱かせる虞がある。
【００２２】
これに対し、第４特徴構成では、検出室圧が陽圧側の設定閾室圧よりも低くなった状態が設定不感時間以上継続したときに陽圧運転モードの表示を停止し、また、検出室圧が陰圧側の設定閾室圧よりも高くなった状態が設定不感時間以上継続したときに陰圧運転モードの表示を停止するから、すなわち、検出室圧が陽圧側の設定閾室圧よりも低くなった状態の継続時間が設定不感時間よりも短いときには陽圧運転モードの表示を継続し、また、検出室圧が陰圧側の設定閾室圧よりも高くなった状態の継続時間が設定不感時間よりも短いときには陰圧運転モードの表示を継続するから、設定不感時間として適当な時間を設定しておけば、出入口の開閉等によるごく一時的な室圧変動の度に陽圧運転モードの表示や陰圧運転モードの表示が一時的に停止されるといった上記の如き不安定な現象を効果的に回避することができて、入退室者等に対し不要な疑念を抱かせることを効果的に回避することができる。
【００２３】
なお、第４特徴構成に実施において、陽圧運転モード表示の停止基準とする陽圧側の設定不感時間と陰圧運転モード表示の停止基準とする陰圧側の設定不感時間とは互いに異なる時間にしてもよく、また、これら陽圧側及び陰圧側の設定不感時間は夫々、管理者が適宜に変更できるようにしておくのがよい。
【００２４】
また、第４特徴構成を第３特徴構成と並行実施する場合は、陽圧運転モードの表示を行っている状態において検出室圧が陽圧側の設定閾室圧よりも低くなった状態が設定不感時間以上継続した時点で、陽圧運転モードの表示を停止するとともに不適状態の表示を行い、かつ、陰圧運転モードの表示を行っている状態において検出室圧が陰圧側の設定閾室圧よりも高くなった状態が設定不感時間以上継続した時点で、陰圧運転モードの表示を停止するとともに不適状態の表示を行う形態を採るようにするのがよい。
【００２５】
〔５〕本発明の第５特徴構成は、第２〜第４特徴構成のうちのいずれかの実施において、
前記表示手段を、前記切換手段に対し陽圧運転モードの実行指令が付与された状況下において前記検出手段の検出室圧が陰圧値であるとき、及び、前記切換手段に対し陰圧運転モードの実行指令が付与された状況下において前記検出手段の検出室圧が陽圧値であるときには、警告表示を行う構成にしてある点にある。
【００２６】
つまり、第２〜第４特徴構成の実施では基本的に、換気対象室の室圧が陰圧値であるとき陰圧運転モードの表示ないしは不適状態の表示がなされ、また、換気対象室の室圧が陽圧値であるとき陽圧運転モードの表示ないしは不適状態の表示がなされるが、切換手段に対し陽圧運転モードの実行指令が付与されているにもかかわらず換気対象室の室圧が陰圧値であることや、切換手段に対し陰圧運転モードの実行指令が付与されたているにもかかわらず換気対象室の室圧が陽圧値であることは、場合によって重大なトラブルを招くごく異常な状態であり、これら異常な状態に対し単なる陰圧運転モードの表示や単なる陽圧運転モードの表示では、その表示が現実の室圧状態と一致したものであるにしても誤表示に等しく、不適状態の表示にしても前述の如き単なる過渡状態や軽微な不良状態とこれら異常な状態とを区別することができず、この為、このような異常な状態の発生に対し対応が遅れてしまう虞がある。
【００２７】
これに対し、第５特徴構成によれば、表示手段による警告表示をもって上記の如き異常状態の発生をより確実かつ早期に認知することができ、その異常状態の発生に対し一層的確かつ迅速に対応することができる。
【００２８】
なお、第５特徴構成の実施において、警告表示には、例えば、陽圧側表示灯と陰圧側表示灯との選択的な点灯により陽圧運転モードと陰圧運転モードとを表示し、かつ、陽圧側表示灯と陰圧側表示灯との選択的な点滅により陽圧側の不適状態と陰圧側の不適状態とを表示するのに対し、陽圧側表示灯と陰圧側表示灯との両方の点滅をもって警告表示とする形態、あるいは、専用表示灯の点滅をもって警告表示とする形態など、陽圧運転モードの表示及び陰圧運転モードの表示と識別し得るものであれば、また、不適状態の表示を行う場合、その不適状態の表示とも識別し得るものであれば、種々の表示形態を採ることができる。
【００２９】
〔６〕本発明の第６特徴構成は、第１特徴構成の実施において、
前記表示手段を、前記切換手段に付与される陽圧運転モードの実行指令に基づき陽圧運転モードの表示を行い、かつ、前記切換手段に付与される陰圧運転モードの実行指令に基づき陰圧運転モードの表示を行う構成にしてある点にある。
【００３０】
つまり、この第６特徴構成によれば、切換手段に対し付与される陽圧運転モードの実行指令及び陰圧運転モードの実行指令に基づき、陽圧運転モード及び陰圧運転モードの表示を行うから、検出手段により検出する換気対象室の室圧に基づき各モードの表示を行う方式に比べ、設備構成を簡素化することができて設備コストを安価にすることができる。
【００３１】
〔７〕本発明の第７特徴構成は、第６特徴構成の実施において、
前記表示手段を、前記換気装置が陽圧運転モードで運転開始された時点から設定遅延時間を経過した時点で陽圧運転モードの表示を行い、かつ、前記換気装置が陰圧運転モードで運転開始された時点から設定遅延時間を経過した時点で陰圧運転モードの表示を行う構成にしてある点にある。
【００３２】
つまり、この第７特徴構成では、陽圧運転モードでの換気装置の運転開始後、換気対象室が所要の陽圧状態に達するのに要する時間や、陰圧運転モードでの換気装置の運転開始後、換気対象室が所要の陰圧状態に達するのに要する時間を設定遅延時間として設定しておくことで、前述の第２特徴構成の場合と同様、換気装置が単に陽圧運転モードと陰圧運転モードとのいずれの運転モードにあるかの認知ではなく、換気対象室が所要の陽圧状態ないしそれに近い陽圧状態にあること、及び、換気対象室が所要の陰圧状態ないしそれに近い陰圧状態にあることの夫々を、表示手段による陽圧運転モードの表示及び陰圧運転モードの表示をもって正確に認知することができる。
【００３３】
そして、このことにより、例えば、換気対象室が所要の陽圧状態にある状況で入退室すべきであるにもかかわらず、換気装置が陽圧運転モードで運転開始された直後で換気対象室が未だ所要の陽圧状態ないしそれに近い陽圧状態に達していない段階で不用意に入退室してしまうといった不都合や、また逆に、換気対象室が所要の陰圧状態にある状況で入退室すべきであるにもかかわらず、換気装置が陰圧運転モードで運転開始された直後で換気対象室が未だ所要の陰圧状態ないしそれに近い陰圧状態に達していない段階で不用意に入退室してしまうといった不都合なども合わせて効果的に防止することができる。
【００３４】
なお、この第７特徴構成は、第２特徴構成と同様、陽圧運転モードでの運転において換気対象室の室圧を陽圧側の設定目標室圧に保ち、かつ、陰圧運転モードでの運転において換気対象室の室圧を陰圧側の設定目標室圧に保つように換気装置を制御する方式を採る場合に特に好適であり、この場合、設定目標室圧の変更に対応し得るように設定遅延時間を管理者が設定変更できるようにしておくのがよい。
【００３５】
また、第７特徴構成の実施において、陽圧運転モードの表示を行う場合の陽圧側の設定遅延時間と陰圧運転モードの表示を行う場合の陰圧側の設定遅延時間とは互いに異なる時間であってもよく、換気対象室を陽圧側及び陰圧側の設定目標室圧に保つ上記の室圧制御方式を採る場合は、それら設定目標室圧の変更に伴い陽圧側や陰圧側の設定遅延時間を新たな設定目標室圧に応じた値に自動的に変更する構成にしておくのがよい。
【００３６】
〔８〕本発明の第８特徴構成は、第１〜第７特徴構成のうちのいずれかの実施において、
前記表示手段を、表示の切り換え時にその切り換えを報知する報知音を発する構成にしてある点にある。
【００３７】
つまり、この第８特徴構成によれば、表示の切り換え時に報知音が発せられることで、換気対象室が以後の用途に即した新たな状態になったことを入退室者等に対し一層確実に認知させることができ、これにより、前記の如き誤認による不都合などを一層効果的に防止することができる。
【発明を実施するための最良の形態】
【００３８】
図１は換気対象室としての手術室１に対する空調設備を示し、２は外気導入路３を通じて屋外から取り入れた外気ＯＡを温湿度調整する空調機であり、この空調機２により温湿度調整した空気ＳＡを給気ファンＦｓにより給気路４を通じて手術室１に供給するとともに、その給気に並行して排気ファンＦｅにより手術室１の室内空気を排気路６を通じ排気ＥＡとして外部に排出し、これにより、手術室１を換気するとともに所要の温湿度状態に保つようにしてある。
【００３９】
７は手術室１の出入口８を臨ませた廊下であり、排気ファンＦｅはその運転により手術室１の室内空気とともに分岐排気路９を通じ廊下７内の空気も外部へ排出する。
【００４０】
給気路４には手術室１への供給風量を設定風量Ｑｓに自動調整する定風量装置１０、及び、手術室１に対する供給空気ＳＡを浄化するフィルタ１１を介装し、排気路６には外部への排出空気ＥＡを浄化するフィルタ１２を介装してあり、また、外気導入路３、排気路６、分岐排気路９の夫々には給気ファンＦｓ及び排気ファンＦｅの停止時（すなわち、手術室１に対する換気運転の停止時）に各路３，６，９を遮断する開閉ダンパ１３を介装してある。
【００４１】
１４は手術室１の室圧ｐ（本例では手術室１における空気圧と廊下７における空気圧との差圧）を検出する室圧センサ、１５は手術室１の室内に設けた陰陽圧切換スイッチ、１６は制御装置であり、この制御装置１６は付与される運転発停指令に応じ各ファンＦｓ，Ｆｅの発停操作、空調機２の発停操作、開閉ダンパ１３の開閉操作を行うとともに、手術室１の温湿度を設定温湿度に保つように空調機２の温湿度調整出力を調整する。
【００４２】
また、この制御装置１６は、定風量装置１０により手術室１に対する供給風量を設定風量Ｑｓに一定化することに対し、室圧センサ１４の検出室圧ｐに基づきインバータ制御などのファン出力制御により排気ファンＦｅの送風量Ｑｅを調整することで手術室１の給排気量収支を調整して、手術室１の室圧ｐを設定器１７により設定された目標室圧に自動調整する。
【００４３】
この目標室圧としては、上記の室圧調整において手術室１における空気圧を廊下７の空気圧よりも所定差だけ高くする陽圧側の目標室圧ｐｍａと手術室１おける空気圧を廊下７の空気圧よりも所定差だけ低くする陰圧側の目標室圧ｐｍｂとの２値を設定器１７により設定するようにしてあり、これに対し、制御装置１６は陰陽圧切換スイッチ１５が陽圧指定の側に操作された状況（すなわち、陽圧運転モードの実行指令が付与された状況）では、陽圧運転モードでの運転として、前記検出室圧ｐに基づく排気ファン送風量Ｑｅの調整により手術室１の室圧ｐを陽圧側の設定目標室圧ｐｍａに調整し、一方、陰陽圧切換スイッチ１５が陰圧指定の側に操作された状況（すなわち、陰圧運転モードの実行指令が付与された状況）では、陰圧運転モードでの運転として前記検出室圧ｐに基づく排気ファン送風量Ｑｅの調整により手術室１の室圧ｐを陰圧側の設定目標室圧ｐｍｂに調整する構成にしてある。
【００４４】
つまり、雑菌や塵埃の室内への侵入を防止する必要があるときには、陰陽圧切換スイッチ１５を陽圧指定の側に操作して陽圧運転モードの運転を行うことで、手術室１における空気圧を廊下７の空気圧よりも所定差だけ高く維持してその差圧により雑菌や塵埃の手術室１への侵入を防止し、また、病原菌の室外漏出を防止する必要があるときには、陰陽圧切換スイッチ１５を陰圧指定の側に操作して陰圧運転モードの運転を行うことで、手術室１における空気圧を廊下７の空気圧よりも所定差だけ低く維持してその差圧により手術室１からの病原菌漏出を防止する。
【００４５】
手術室１の出入口８における廊下側の口縁部には、図２に示す如く、手術中を示す表示灯１８とともに、陽圧を示す陽圧側表示灯１９ａと陰圧を示す陰圧側表示灯１９ｂとの隣接対を設けてあり、そして、これら陽圧側及び陰圧側表示灯１９ａ，１９ｂの切り換え操作として、制御装置１６は、陰陽圧切換スイッチ１５が陽圧指定の側に操作された状況において室圧センサ１４の検出室圧ｐが陽圧側の設定閾室圧ｐｓａ（本例では、陽圧側の設定目標室圧ｐｍａに等しい値）以上のときに限り、陰圧側表示灯１９ｂの消灯状態下で陽圧側表示灯１９ａを点灯状態にし、また逆に、陰陽圧切換スイッチ１５が陰圧指定の側に操作された状況において室圧センサ１４の検出室圧ｐが陰圧側の設定閾室圧ｐｓｂ（本例では、陰圧側の設定目標室圧ｐｍｂに等しい値）以下のときに限り、陽圧側表示灯１９ａの消灯状態下で陰圧側表示灯１９ｂを点灯状態にする構成にしてある。
【００４６】
すなわち、これら陽圧側表示灯１９ａと陰圧側表示灯１９ｂとの選択的な点灯表示により、手術室１への入室者に対し手術室１が陽圧状態にあること及び陰圧状態にあることの夫々を確実に認知させるようにしてある。
【００４７】
なお、陽圧側表示灯１９ａの点消灯基準である陽圧側設定閾室圧ｐｓａを室圧制御上の陽圧側設定目標室圧ｐｍａと等しい値とし、かつ、陰圧側表示灯１９ｂの点消灯基準である陰圧側設定閾室圧ｐｓｂを室圧制御上の陰圧側設定目標室圧ｐｍｂと等しい値とする本例では、設定器１７による陽圧側や陰圧側の設定目標室圧ｐｍａ，ｐｍｂの変更に伴い陽圧側や陰圧側の設定閾室圧ｐｓａ，ｐｓｂも変更される。
【００４８】
以上要するに、本実施形態において、給気ファンＦｓ及び排気ファンＦｅは換気対象室１（手術室）に対する換気装置を構成し、また、陰陽圧切換スイッチ１５及び制御装置１６は、換気対象室１を陽圧にする陽圧運転モードと換気対象室１を陰圧にする陰圧運転モードとに換気装置の運転モードを切り換える切換手段を構成し、陽圧側及び陰圧側の表示灯１９ａ，１９ｂ及び制御装置１６は、換気装置が陽圧運転モードと陰圧運転モードとのいずれの運転モードにあるかを換気対象室１の出入口８部において表示する表示手段を構成する。
【００４９】
そして、この表示手段は、検出手段としての室圧センサ１４により検出される換気対象室１の室圧ｐが陽圧側の設定閾室圧ｐｓａ（＝室圧制御上の陽圧側設定目標室圧ｐｍａ）以上のときのみ陽圧側表示灯１９ａの点灯をもって陽圧運転モードの表示を行い、かつ、室圧センサ１４により検出される換気対象室１の室圧ｐが陰圧側の設定閾室圧ｐｓｂ（＝室圧制御上の陰圧側設定目標室圧ｐｍｂ）以下のときのみ陰圧側表示灯１９ｂの点灯をもって陰圧運転モードの表示を行う構成にしてある。
【００５０】
〔別実施形態〕
次に本発明の別実施形態を列記する。
【００５１】
前述の実施形態では、検出手段１４により検出される換気対象室１の室圧ｐが陽圧側の設定閾室圧ｐｓａより低く、かつ、陰圧側の設定閾室圧ｐｓｂよりも高いときには、陽圧側及び陰圧側の表示灯１９ａ，１９ｂをともに消灯して、陽圧運転モードの表示及び陰圧運転モードの表示をともに停止する例を示したが、検出室圧ｐが陽圧側の設定閾室圧ｐｓａよりも絶対値の小さい陽圧値にあるとき、陰圧側表示灯１９ｂの消灯状態下で陽圧側表示灯１９ａを点滅させるなどして陽圧側の不適状態を表示し、また同様に、検出室圧ｐが陰圧側の設定閾室圧ｐｓｂよりも絶対値の小さい陰圧値にあるとき、陽圧側表示灯１９ａの消灯状態下で陰圧側表示灯１９ｂを点滅させるなどして陰圧側の不適状態を表示するようにしてもよい。
【００５２】
陽圧運転モードの表示の停止及び陰圧運転モードの表示の停止については、検出手段１４の検出室圧ｐが陽圧側の設定閾室圧ｐｓａよりも低くなったとき直ちに陽圧運転モードの表示を停止し、かつ、検出手段１４の検出室圧ｐが陰圧側の設定閾室圧ｐｓｂよりも高くなったとき直ちに陰圧運転モードの表示を停止する方式、あるいは、検出手段１４の検出室圧ｐが陽圧側の設定閾室圧ｐｓａよりも低くなった状態が陽圧側の設定不感時間Ｔｆａ以上継続したとき陽圧運転モードの表示を停止し、かつ、検出手段１４の検出室圧ｐが陰圧側の設定閾室圧ｐｓｂよりも高くなった状態が陰圧側の設定不感時間Ｔｆｂ以上継続したとき陰圧運転モードの表示を停止する方式（すなわち、表示の頻繁な一時停止を抑制する方式）のいずれを採用してもよい。
【００５３】
また、陽圧運転モードの実行指令が付与された状況下において検出手段１４の検出室圧ｐが陰圧値となる異常時、及び、陰圧運転モードの実行指令が付与された状況下において検出手段１４の検出室圧ｐが陽圧値となる異常時には、陽圧側及び陰圧側表示灯９ａ，９ｂの両方を点滅させるなどして、警告表示を行うようにしてもよい。
【００５４】
検出手段１４により検出する換気対象室１の室圧ｐに基づき陽圧運転モードの表示及び陰圧運転モードの表示を行う場合、その検出対象の室圧ｐは、換気対象室１における空気圧と廊下等の隣接室における空気圧との差圧に限られるものではなく、換気対象室１における空気圧と大気圧との差圧、あるいは、換気対象室１における空気圧と絶対的基準圧との差圧などであってもよい。
【００５５】
上記の各例では、検出手段１４により検出する換気対象室１の室圧ｐに基づき陽圧運転モードの表示及び陰圧運転モードの表示を行う方式を示したが、これに代え、切換手段に付与される陽圧運転モードの実行指令及び陰圧運転モードの実行指令（すなわち、前述実施形態で言えば、陰陽圧切換スイッチ１５に付与される陽圧指定側の操作や陰圧指定側の操作）に基づき陽圧運転モード及び陰圧運転モード夫々の表示を行うようにしてもよい。
【００５６】
また、このように切換手段に付与されるモード実行指令に基づき陽圧運転モード及び陰圧運転モード夫々の表示を行う場合、陽圧運転モードの実行指令が付与された時点で陽圧運転モードの表示を行い、かつ、陰圧運転モードの実行指令が付与された時点で陰圧運転モードの表示を行う方式、あるいは、陽圧運転モードの運転が実際に開始されたときに陽圧運転モードの表示を行い、かつ、陰圧運転モードの運転が実際に開始されたときに陰圧運転モードの表示を行う方式、あるいはまた、陽圧運転モードの運転が開始された時点から陽圧側の設定遅延時間Ｔｄａを経過した時点で陽圧運転モードの表示を行い、かつ、陰圧運転モードの運転が開始された時点から陰圧側の設定遅延時間Ｔｄｂを経過した時点で陰圧運転モードの表示を行う方式のいずれを採用してもよい。
【００５７】
上記の各例では、陽圧運転モードの表示、陰圧運転モードの表示、不適状態の表示、警告表示の夫々を表示灯１９ａ，１９ｂにより行う方式を示したが、これらの表示には表示灯による表示の他、種々の表示方式を採用でき、また、表示灯１９ａ，１９ｂによる表示などにおいて、各表示の切り換え時にその切り換えを報知する報知音を発するようにしてもよい。
【００５８】
換気対象室１は手術室に限られるものではなく、病室、生産用クリーンルーム、研究用クリーンルームなどであってもよい。
【産業上の利用可能性】
【００５９】
医療施設、生産施設、研究施設などの各種施設において、種々の用途の換気対象室を陽圧状態と陰圧状態とに切り換え使用する場合に利用できる。
【図面の簡単な説明】
【００６０】
【図１】手術室に対する空調設備を示す図
【図２】手術室の出入口部を示す図
【符号の説明】
【００６１】
１          換気対象室
Ｆｓ        換気装置
Ｆｅ        換気装置
８          入口部，出口部
１４        検出手段
１５        切換手段
１６        切換手段
１９ａ      表示手段
１９ｂ      表示手段
ｐ          室圧
ｐｓａ      陽圧側の設定閾室圧
ｐｓｂ      陰圧側の設定閾室圧
Ｔｆａ      陽圧側の設定不感時間
Ｔｆｂ      陰圧側の設定不感時間
Ｔｄａ      陽圧側の設定遅延時間
Ｔｄｂ      陰圧側の設定遅延時間
【図１】
2005114317.tif 000003
【図２】
2005114317.tif 000004